(57)【要約】【課題】扉を開いて商品の補充や点検などの作業を行いながら、ディスプレイ装置やタッチパネルを利用しての様々な設定や確認を行うことができる自動販売機を提供する。【解決手段】本体キャビネット１上部の右側端部には延伸部３０ｂ、３０ｃが手前方向に延伸自在なスライドレール３０の本体３０ａが配設され、延伸部３０ｃ先端に設けられている回動軸３０ｄは扉１０の右側縁部に配設され、本体キャビネット１上部および下部の前端部には移動部４０ｂ、５０ｂが左右方向に移動自在なスライドレール４０、５０の本体４０ａ、５０ａが配設され、移動部４０ｂ、５０ｂに設けられている回動軸４０ｃ、５０ｃは扉１０の左側縁部に配設され、扉１０を開くと、扉１０の表側面が本体キャビネット１の開口１ａ側に向く態様で開く。【選択図】図５
2017122966.tif 000002
【特許請求の範囲】
【請求項１】
前面が開口する本体キャビネットと、前記開口を覆う態様で開閉自在な扉とを備えた自動販売機において、
前記扉を閉じて前記本体キャビネット開口を閉塞すると、前記扉の内側面が前記開口側に向いて閉塞し、
前記扉を開くと、前記扉の表側面が前記本体キャビネット開口側に向く態様で開くことを特徴とする自動販売機。
【請求項２】
前記本体キャビネット上部の一側端部には延伸部が手前方向に延伸自在なスライドレールの本体が配設されるとともに、前記延伸部先端に設けられている回動軸は前記扉の一側縁部に配設され、
前記本体キャビネット上部および下部の前端部には移動部が左右方向に移動自在なスライドレールの本体が配設されるとともに、前記移動部に設けられている回動軸は前記扉の他側縁部に配設され、
前記扉を開くと、前記扉の前記表側面が前記本体キャビネット開口側に向く態様で開くことを特徴とする請求項１に記載の自動販売機。
【請求項３】
前記扉の表側面には、ディスプレイ装置の表示部やタッチパネルが備えられ、前記扉を開くと、前記扉の前記表側面が前記本体キャビネット開口側に向く態様で開くことにより、前記開口側から前記ディスプレイ装置の表示部を視認可能とし、また、前記開口側から前記タッチパネルの操作を可能としたことを特徴とする請求項１または請求項２に記載の自動販売機。
【請求項４】
前面が開口する本体キャビネットと、前記開口を覆う態様で開閉自在な扉とを備えた自動販売機において、
前記扉を開くと、前記扉の表側面が前記本体キャビネット開口側に向く態様で開くことにより、前記開口側から前記扉の前記表側面に備えられているディスプレイ装置の表示部を視認可能とし、また、前記開口側から前記扉の前記表側面に備えられているタッチパネルの操作を可能としたことを特徴とする自動販売機。
【発明の詳細な説明】
【技術分野】
【０００１】
本発明は、自動販売機に関し、より詳細には、前面が開口している本体キャビネットの開口を覆う態様で取り付けられる扉を開閉自在に支持する扉支持装置に関する。
【背景技術】
【０００２】
例えば缶入り飲料やペットボトル入り飲料などの各種商品を販売する自動販売機は、その外周面を形成する機体が、内部に各種商品を収容し、前面が開口した直方状の本体キャビネットと、この本体キャビネットの前面開口を開閉自在に覆う扉とで構成されている。この扉は、左右何れか一方の縁部が本体キャビネットに回動自在に支持されており、本体キャビネット内への各種商品の補充や点検、清掃、整備などの作業は扉を開いて行われる。
【０００３】
この種の自動販売機の従来例を図１４および図１５に示す。図１４は自動販売機を前方斜め右上より示す斜視図、図１５は図１４の扉を開放した状態の自動販売機の内部構造を示す斜視図である。かかる図１４および図１５を適宜利用して自動販売機の構成について説明する。
【０００４】
本体キャビネット１は、前面が開口した直方状の形態を成すものである。この本体キャビネット１には、その内部に例えば２つの断熱仕切板２によって仕切られた３つの独立した商品収容庫（庫内）３（３ａ、３ｂ、３ｃ）が左右に並んだ態様で設けてある。この商品収容庫３は、缶入り飲料やペットボトル入り飲料などの商品を所望の温度に維持した状態で収容するための断熱構造を有している。
【０００５】
また、商品収容庫３には、商品収納ラック６、搬出機構７および搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を内扉５に配設された搬出扉５ａを介して扉１０に設けられた商品取出口１２に導くためのものである。
【０００６】
そして、例えば、ホット商品を販売する場合には、商品収納庫３の内部を冷媒回路装置により５５℃程度に加熱する一方、コールド商品を販売する場合には、商品収納庫３の内部を冷媒回路装置により５℃程度に冷却しており、利用者の選択した商品をそれぞれ最適販売温度で提供するようにしている。
【０００７】
扉１０は、前面が開口した直方状の本体キャビネット１の前面開口１ａを覆うためのもので、左側縁部が本体キャビネット１に回動自在に支持されて本体キャビネット１の前面開口１ａを開閉自在に配設してある。この扉１０には、表示窓部１１、商品取出口１２、情報交信部１３、紙幣挿入口１４、硬貨投入口１５、第１センサ窓部１６、第２センサ窓部１７など、商品を販売する上で必要となる構成が設けてある。
【０００８】
表示窓部１１は、図１４に示すように、扉１０に設置されたディスプレイ装置２１の表示部２２を前方側より視認させるとともに操作させるための開口である。このディスプレイ装置２１の表示部２２は、タッチパネル式画面となっており、販売対象となる商品及び商品価格を表示する表示手段としての機能を有するとともに、利用者により商品を表示する部分が押圧されると、当該商品が選択された旨の信号を図示せぬ制御装置に与える入力手段としての機能を有するものである。また、かかる表示部２２は、図示しないセンサにより所定の範囲内に対象となる人を検知しない場合には、予め設定された広告などを表示する機能を有している。
【０００９】
商品取出口１２は、本体キャビネット１に収納された商品が払い出された場合に、これを外部に取り出すための開口である。情報交信部１３は、携帯端末を翳すことによりイベント情報などの種々の情報を無線により該携帯端末に書き込むものである。
【００１０】
紙幣挿入口１４は、利用者が紙幣を投入するための開口である。この紙幣挿入口１４を通じて投入された紙幣は、ビルバリデータと称される紙幣処理装置１４１（図１５参照）において処理されることになる。紙幣処理装置１４１は、紙幣挿入口１４を通じて投入された紙幣が正規なものであるか否かを識別し、正規なものとして識別した紙幣を内部に取り込む一方、損傷や偽造などの理由により正規な紙幣として識別できなかった紙幣を返却するものである。また、紙幣処理装置１４１は、紙幣が投入された直後に返却レバー１８が操作された場合、これを返却するように機能する。尚、紙幣挿入口１４は、紙幣を返却する際の紙幣返却口としても機能するように構成してある。
【００１１】
硬貨投入口１５は、利用者が硬貨を投入するための開口である。この硬貨投入口１５を通じて投入された硬貨は、コインメックと称される硬貨処理装置１５１（図１５参照）において処理されることになる。硬貨処理装置１５１は、硬貨投入口１５を通じて投入された硬貨が正規なものであるか否かを識別し、正規なものとして識別した硬貨を内部に取り込む一方、損傷や偽造などの理由により正規なものとして識別できなかった硬貨を返却するものである。また、硬貨処理装置１５１は、硬貨が投入された直後に返却レバー１８が操作された場合、これを返却するように機能する。尚、硬貨処理装置１５１によって正規なものとして内部に取り込まれた硬貨は、硬貨処理装置１５１に内蔵される金種別の釣銭筒にそれぞれ収容され、当該釣銭筒が満杯の場合には、図示していない硬貨回収箱に回収されることになる。また、硬貨投入口１５から投入した硬貨を返却する場合には、扉１０の下部に設けた硬貨返却口１９を通じて行われる。リーダライタ部２０は、電子マネーなどの金銭情報が格納されたＩＣカード（記録媒体）が翳された場合に該ＩＣカードとの間で通信を行い必要な情報の読み出しおよび書き込みを行うためのものである。扉１０には、上記構成の他に、センサ取付装置１７ａ（取付部材１７ｂ）および扉開閉装置２３を備えて構成している（例えば、特許文献１参照）。
【００１２】
また、缶入り飲料やペットボトル入り飲料などの各種商品を販売する自動販売機として、缶やペットボトルなどの商品見本を陳列して展示し、各商品見本に対応して設けられた商品選択ボタンや商品販売可表示装置を備えたディスプレイ室を扉の表側面に設けて構成している例も多数存在している（例えば、特許文献２参照）。
【先行技術文献】
【特許文献】
【００１３】
【特許文献１】特開２０１２−１０３９０７号公報（図１、図２）
【特許文献２】特開２００８−１０２７９９号公報（図１、図２）
【発明の概要】
【発明が解決しようとする課題】
【００１４】
このような缶入り飲料やペットボトル入り飲料などの各種商品を販売する自動販売機では、扉表側面に設置されたディスプレイ装置の表示部やタッチパネル、ディスプレイ室に備えられた商品選択ボタン、商品販売可表示装置を利用して自動販売機の様々な設定や確認などを行うことが可能である。
【００１５】
しかしながら、扉を開いて自動販売機内部の操作を行っているときには扉の表側面が本体キャビネット開口とは反対側を向いているため、ディスプレイ装置の表示部やタッチパネル、ディスプレイ室に備えられた商品選択ボタン、商品販売可表示装置を利用しての本体キャビネット内への各種商品の補充や点検、清掃、整備などの作業時に行われる様々な設定や確認を行うことが困難であるという課題があった。
【００１６】
本発明は、以上のような課題を解決するためになされたものであり、自動販売機の扉を開いて本体キャビネット内への各種商品の補充や点検、清掃、整備などの作業を行いながらでも、扉表側面に設置されたディスプレイ装置の表示部やタッチパネル、ディスプレイ室に備えられる商品選択ボタン、商品販売可表示装置を利用しての自動販売機の様々な設定や確認を行うことができる自動販売機を提供することを目的とする。
【課題を解決するための手段】
【００１７】
上記の目的を達成するために、本発明の請求項１に係る自動販売機は、前面が開口する本体キャビネットと、前記開口を覆う態様で開閉自在な扉とを備えた自動販売機において、
前記扉を閉じて前記本体キャビネット開口を閉塞すると、前記扉の内側面が前記開口側に向いて閉塞し、
前記扉を開くと、前記扉の表側面が前記本体キャビネット開口側に向く態様で開くことを特徴とする。
【００１８】
また、本発明の請求項２に係る自動販売機は、上述した請求項１において、前記本体キャビネット上部の一側端部には延伸部が手前方向に延伸自在なスライドレールの本体が配設されるとともに、前記延伸部先端に設けられている回動軸は前記扉の一側縁部に配設され、
前記本体キャビネット上部および下部の前端部には移動部が左右方向に移動自在なスライドレールの本体が配設されるとともに、前記移動部に設けられている回動軸は前記扉の他側縁部に配設され、
前記扉を開くと、前記扉の前記表側面が前記本体キャビネット開口側に向く態様で開くことを特徴とする。
【００１９】
また、本発明の請求項３に係る自動販売機は、上述した請求項１または請求項２において、前記扉の表側面には、ディスプレイ装置の表示部やタッチパネルが備えられ、前記扉を開くと、前記扉の前記表側面が前記本体キャビネット開口側に向く態様で開くことにより、前記開口側から前記ディスプレイ装置の表示部を視認可能とし、また、前記開口側から前記タッチパネルの操作を可能としたことを特徴とする。
【００２０】
また、本発明の請求項４に係る自動販売機は、前面が開口する本体キャビネットと、前記開口を覆う態様で開閉自在な扉とを備えた自動販売機において、
前記扉を開くと、前記扉の表側面が前記本体キャビネット開口側に向く態様で開くことにより、前記開口側から前記扉の前記表側面に備えられているディスプレイ装置の表示部を視認可能とし、また、前記開口側から前記扉の前記表側面に備えられているタッチパネルの操作を可能としたことを特徴とする。
【発明の効果】
【００２１】
請求項１の発明によれば、前面が開口する本体キャビネットと、前記開口を覆う態様で開閉自在な扉とを備えた自動販売機において、前記扉を閉じて前記本体キャビネット開口を閉塞すると、前記扉の内側面が前記開口側に向いて閉塞し、前記扉を開くと、前記扉の表側面が前記本体キャビネット開口側に向く態様で開くことにより、自動販売機の扉を開いて本体キャビネット内への各種商品の補充や点検、清掃、整備などの作業を行いながらでも、扉表側面に設置されたディスプレイ装置の表示部やタッチパネル、ディスプレイ室に備えられる商品選択ボタン、商品販売可表示装置を利用しての自動販売機の様々な設定や確認を行うことができる自動販売機を提供することが可能となる。
【００２２】
また、請求項２の発明によれば、前記本体キャビネット上部の一側端部には延伸部が手前方向に延伸自在なスライドレールの本体が配設されるとともに、前記延伸部先端に設けられている回動軸は前記扉の一側縁部に配設され、前記本体キャビネット上部および下部の前端部には移動部が左右方向に移動自在なスライドレールの本体が配設されるとともに、前記移動部に設けられている回動軸は前記扉の他側縁部に配設され、前記扉を開くと、前記扉の前記表側面が前記本体キャビネット開口側に向く態様で開くことにより、扉を開くと、扉の右側縁部は手前方向に移動し、左側縁部は右側方向に移動することで、扉の表側面が本体キャビネットの開口側に向く態様で開くことにより、扉の開放角度が９０度以上開くことがなくなり、自動販売機に隣接して扉を開く際に障害となる、建造物の外壁面や内壁面などの障害物を避けながら扉を開くことができるようになるので、自動販売機設置上の制約を減少させることが可能となる。
【００２３】
そして、自動販売機の扉を開いて本体キャビネット内への各種商品の補充や点検、清掃、整備などの作業を行いながらでも、扉表側面に設置されたディスプレイ装置の表示部やタッチパネル、ディスプレイ室に備えられる商品選択ボタン、商品販売可表示装置を利用しての自動販売機の様々な設定や確認を行うことができる自動販売機を提供することが可能となる。
【００２４】
また、請求項３の発明によれば、前記扉の表側面には、ディスプレイ装置の表示部やタッチパネルが備えられ、前記扉を開くと、前記扉の前記表側面が前記本体キャビネット開口側に向く態様で開くことにより、前記開口側から前記ディスプレイ装置の表示部を視認可能とし、また、前記開口側から前記タッチパネルの操作を可能としたことにより、自動販売機の扉を開いて本体キャビネット内への各種商品の補充時にコラム番号と、その商品の確認や、収容本数、前回の補充以降に販売された本数などの表示にしたがい商品の補充作業を容易にするとともに、扉を開けて作業を行っている間に商品を購入する動作が行われることを防止することが可能な自動販売機を提供することができる。
【００２５】
さらに、取り扱い方法、技術マニュアル、パーツリストなどを現物に照らし合わせながら作業が行え、画面と音声の中継により、遠方からネット回線などによる指導ができる、インターネット情報を検索できるなどの様々な活用ができるようになる。
【００２６】
そして、自動販売機の扉を開いて本体キャビネット内への各種商品の補充や点検、清掃、整備などの作業を行いながらでも、扉表側面に設置されたディスプレイ装置の表示部やタッチパネル、ディスプレイ室に備えられる商品選択ボタン、商品販売可表示装置を利用しての自動販売機の様々な設定や確認を行うことができる自動販売機を提供することが可能となる。
【００２７】
また、請求項４の発明によれば、前面が開口する本体キャビネットと、前記開口を覆う態様で開閉自在な扉とを備えた自動販売機において、前記扉を開くと、前記扉の表側面が前記本体キャビネット開口側に向く態様で開くことにより、前記開口側から前記扉の前記表側面に備えられているディスプレイ装置の表示部を視認可能とし、また、前記開口側から前記扉の前記表側面に備えられているタッチパネルの操作を可能としたことにより、自動販売機の扉を開いて本体キャビネット内への各種商品の補充時にコラム番号と、その商品の確認や、収容本数、前回の補充以降に販売された本数などの表示にしたがい商品の補充作業を容易にするとともに、扉を開けて作業を行っている間に商品を購入する動作が行われることを防止することが可能な自動販売機を提供することができる。
【００２８】
さらに、取り扱い方法、技術マニュアル、パーツリストなどを現物に照らし合わせながら作業が行え、画面と音声の中継により、遠方からネット回線などによる指導ができる、インターネット情報を検索できるなどの様々な活用ができるようになる。
【００２９】
そして、自動販売機の扉を開いて本体キャビネット内への各種商品の補充や点検、清掃、整備などの作業を行いながらでも、扉表側面に設置されたディスプレイ装置の表示部やタッチパネル、ディスプレイ室に備えられる商品選択ボタン、商品販売可表示装置を利用しての自動販売機の様々な設定や確認を行うことができる自動販売機を提供することが可能となる。
【図面の簡単な説明】
【００３０】
【図１】本発明の実施の形態である自動販売機を前方斜め左上より示す斜視図である。
【図２】図１に示した自動販売機の扉を開く状態を前方斜め左上より示す斜視図である。
【図３】図２に示した自動販売機の扉をより開いた状態を前方斜め左上より示す斜視図である。
【図４】図３に示した自動販売機の扉をより開いた状態を前方斜め左上より示す斜視図である。
【図５】図４に示した自動販売機の扉を開放した状態を前方斜め左上より示す斜視図である。
【図６】図１から図５に示した自動販売機の状態を前方斜め右上より示す斜視図である。
【図７】図１から図５に示した自動販売機の状態を示す上面図である。
【図８】図１に示したスライドレールを前方斜め右上より示す斜視図である。
【図９】図１に示したスライドレールを前方斜め左上より示す斜視図である。
【図１０】図１に示したスライドレールを前方斜め左上より示す斜視図である。
【図１１】図５に示した自動販売機の扉を開いた状態を前方斜め左上より示す斜視図である。
【図１２】図５に示した自動販売機の扉を開いた状態を前方斜め左上より示す斜視図である。
【図１３】図５に示した自動販売機の扉を開いた状態を前方斜め右上より示す斜視図である。
【図１４】従来の自動販売機を前方斜め右上より示す斜視図である。
【図１５】従来の自動販売機の扉を開放した状態の内部構造を示す斜視図である。
【発明を実施するための形態】
【００３１】
以下、図面を参照しながら、本発明に係る自動販売機の好適な実施の形態について詳細に説明する。なお、この実施の形態によりこの発明が限定されるものではない。
【００３２】
図１から図５は自動販売機を前方斜め左上より示す斜視図である。かかる図１から図５を適宜利用して自動販売機の構成について説明する。
【００３３】
本体キャビネット１は、前面が開口した直方状の形態を成すものであり、その内部には図示しない商品収容庫（庫内）が設けられ、缶入り飲料やペットボトル入り飲料などの商品を収容している。
【００３４】
扉１０は、前面が開口した直方状の本体キャビネット１の前面開口１ａを覆うためのもので、本体キャビネット１に支持されて本体キャビネット１の前面開口１ａを開閉自在に配設してある。この扉１０には、表示窓部１１、商品取出口１２、紙幣挿入口１４、硬貨投入口１５、扉開閉装置２３などが設けてある。尚、本実施の形態においては、右側とは、自動販売機を正面から見た場合の右方を示し、左側とは、自動販売機を正面から見た場合の左方を示すものとして説明する。
【００３５】
表示窓部１１は、扉１０に設置されたディスプレイ装置２１の表示部２２を前方側より視認させるとともに操作させるための開口である。このディスプレイ装置２１の表示部２２は、タッチパネル式画面となっており、販売対象となる商品及び商品価格を表示する表示手段としての機能を有するとともに、利用者により商品を表示する部分が押圧されると、当該商品が選択された旨の信号を図示せぬ制御装置に与える入力手段（タッチパネル）としての機能を有するものである。
【００３６】
商品取出口１２は、本体キャビネット１に収納された商品が払い出された場合に、これを外部に取り出すための開口である。
【００３７】
紙幣挿入口１４は、利用者が紙幣を投入するための開口である。この紙幣挿入口１４を通じて投入された紙幣は、ビルバリデータと称される紙幣処理装置（図示せず）において処理されることになる。紙幣処理装置は、紙幣挿入口１４を通じて投入された紙幣が正規なものであるか否かを識別し、正規なものとして識別した紙幣を内部に取り込む一方、損傷や偽造などの理由により正規な紙幣として識別できなかった紙幣を返却するものである。また、紙幣処理装置は、紙幣が投入された直後に返却レバー１８が操作された場合、これを返却するように機能する。尚、紙幣挿入口１４は、紙幣を返却する際の紙幣返却口としても機能するように構成してある。
【００３８】
硬貨投入口１５は、利用者が硬貨を投入するための開口である。この硬貨投入口１５を通じて投入された硬貨は、コインメックと称される硬貨処理装置（図示せず）において処理されることになる。硬貨処理装置は、硬貨投入口１５を通じて投入された硬貨が正規なものであるか否かを識別し、正規なものとして識別した硬貨を内部に取り込む一方、損傷や偽造などの理由により正規なものとして識別できなかった硬貨を返却するものである。また、硬貨処理装置は、硬貨が投入された直後に返却レバー１８が操作された場合、これを返却するように機能する。尚、硬貨処理装置によって正規なものとして内部に取り込まれた硬貨は、硬貨処理装置に内蔵される金種別の釣銭筒にそれぞれ収容され、当該釣銭筒が満杯の場合には、図示していない硬貨回収箱に回収されることになる。また、硬貨投入口１５から投入した硬貨を返却する場合には、扉１０の下部に設けた硬貨返却口１９を通じて行われる。
【００３９】
金額表示部２５は、紙幣挿入口１４や硬貨投入口１５から投入された紙幣や硬貨の金額を示すための表示部である。また、２６は、販売促進用のパネルなどを展示することができるように設けられているパネル展示用窓である。２７は電子マネー装置などを配設可能とするためのデバイス窓である。
【００４０】
本体キャビネット１上部の右側端部（一側端部）には延伸部３０ｂ、３０ｃが手前方向に延伸自在なスライドレール３０の本体３０ａが配設され、延伸部３０ｃ先端に設けられている回動軸３０ｄが扉１０の右側縁部（一側縁部）に配設されている（図６、図７、図８参照）。
【００４１】
また、本体キャビネット１上部の前端部には移動部４０ｂが左右方向に移動自在なスライドレール４０の本体４０ａが配設され、移動部４０ｂに設けられている回動軸４０ｃは扉１０の左側縁部（他側縁部）上部に配設されている（図６、図７、図９参照）。
【００４２】
さらに、本体キャビネット１下部の前端部には移動部５０ｂが左右方向に移動自在なスライドレール５０の本体５０ａが配設され、移動部５０ｂに設けられている回動軸５０ｃは扉１０の左側縁部（他側縁部）下部に配設されている（図１、図１０参照）。
【００４３】
このように、本体キャビネット１上部の右側端部には延伸部３０ｂ、３０ｃが手前方向に延伸自在なスライドレール３０の本体３０ａが配設されるとともに、延伸部３０ｃ先端に設けられている回動軸３０ｄが扉１０の右側縁部に配設され、また、本体キャビネット１上部の前端部には移動部４０ｂが左右方向に移動自在なスライドレール４０の本体４０ａが配設されるとともに、移動部４０ｂに設けられている回動軸４０ｃは扉１０の左側縁部上部に配設され、さらに、本体キャビネット１下部の前端部には移動部５０ｂが左右方向に移動自在なスライドレール５０の本体５０ａが配設されるとともに、移動部５０ｂに設けられている回動軸５０ｃは扉１０の左側縁部下部に配設されている。
【００４４】
このようにスライドレール３０、４０、５０の各部が配設されていることにより、図１および図６（ａ）、図７（ａ）に示している、扉１０が本体キャビネット１の開口１ａを閉塞している状態から扉１０を開けると、図２〜図５および図６（ｂ）〜（ｅ）、図７（ｂ）〜（ｅ）に示しているように、延伸部３０ｃ先端に設けられている回動軸３０ｄが扉１０の右側縁部に配設され、手前方向に延伸自在な延伸部３０ｂ、３０ｃを有しているスライドレール３０により、扉１０の右側縁部は手前方向に移動する。また、移動部４０ｂ、５０ｂに設けられている回動軸４０ｃ、５０ｃは扉１０の左側縁部上部、下部に配設され、左右方向に移動自在な移動部４０ｂ、５０ｂを有しているスライドレール４０、５０により、扉１０の左側縁部は手前方向には移動することなく、右側方向に移動する。このように、スライドレール３０、４０、５０が協働することで、扉１０の右側縁部は手前方向に移動し、左側縁部は手前方向には移動することなく、右側方向に移動することで、扉１０の表側面が本体キャビネット１の開口１ａ側に向く態様で開くことができるようになる。そして、扉１０を閉じるときには、上記の逆の手順で扉１０の内側面が本体キャビネット１の開口１ａを閉塞させることで閉じられる。
【００４５】
このように、扉１０を開くと、扉１０の表側面が本体キャビネット１の開口１ａ側に向く態様で開くことにより、開口１ａ側から扉１０の表側面に備えられているディスプレイ装置２１の表示部２２を視認可能とし、また、開口１ａ側から扉１０の表側面に備えられているタッチパネルの操作を可能としたことで、自動販売機の扉１０を開いて本体キャビネット１内への各種商品の補充時にコラム番号と、その商品の確認や、収容本数、前回の補充以降に販売された本数などの表示にしたがい商品の補充作業を容易にするとともに、扉１０を開けて作業を行っている間に商品を購入する動作が行われることを防止することが可能な自動販売機を提供することができる。
【００４６】
また、取り扱い方法、技術マニュアル、パーツリストなどを現物に照らし合わせながら作業が行え、画面と音声の中継により、遠方からネット回線などによる指導ができる、インターネット情報を検索できるなどの様々な活用ができるようになる。
【００４７】
さらに、扉１０を開くと、扉１０の右側縁部は手前方向に移動し、左側縁部は右側方向に移動することで、扉１０の表側面が本体キャビネット１の開口１ａ側に向く態様で開くことにより、扉１０開放角度が９０度以上開くことがなくなり、自動販売機に隣接して扉１０を開く際に障害となる、建造物の外壁面や内壁面などの障害物を避けながら扉１０を開くことができるようになるので、自動販売機設置上の制約を減少させることが可能となる。
【００４８】
そして、自動販売機の扉１０を開いて本体キャビネット１内への各種商品の補充や点検、清掃、整備などの作業を行いながらでも、扉１０表側面に設置されたディスプレイ装置２１の表示部２２やタッチパネル、ディスプレイ室に備えられる商品選択ボタン、商品販売可表示装置を利用しての自動販売機の様々な設定や確認を行うことができる自動販売機を提供することが可能となる。
【００４９】
なお、自動販売機の扉１０を開いて本体キャビネット１内への各種商品の補充や点検、清掃、整備などの作業中に金銭を搾取される虞があるが、図１３に示しているように、金銭部（紙幣処理装置１４１や硬貨処理装置１５１）は扉内部を金銭部扉２９で閉構造とし、図１１、図１２に示しているように、扉１０の表側面から庫扉２８を開放して金銭の回収を行うようにすることにより、作業中に悪戯などの被害に合うことのない自動販売機とすることができる。
【００５０】
以上説明したように本発明によれば、前面が開口する本体キャビネット１と、開口１ａを覆う態様で開閉自在な扉１０とを備えた自動販売機において、扉１０を閉じて本体キャビネット１の開口１ａを閉塞すると、扉１０の内側面が開口１ａ側に向いて閉塞し、扉１０を開くと、扉１０の表側面が本体キャビネット１の開口１ａ側に向く態様で開くことにより、自動販売機の扉１０を開いて本体キャビネット１内への各種商品の補充や点検、清掃、整備などの作業を行いながらでも、扉１０の表側面に設置されたディスプレイ装置２１の表示部２２やタッチパネル、ディスプレイ室に備えられる商品選択ボタン、商品販売可表示装置を利用しての自動販売機の様々な設定や確認を行うことができる自動販売機を提供することが可能となる。
【００５１】
また、本体キャビネット１上部の右側端部には延伸部３０ｂ、３０ｃが手前方向に延伸自在なスライドレール３０の本体３０ａが配設されるとともに、延伸部３０ｃ先端に設けられている回動軸３０ｄは扉１０の右側縁部に配設され、本体キャビネット１上部および下部の前端部には移動部４０ｂ、５０ｂが左右方向に移動自在なスライドレール４０、５０の本体４０ａ、５０ａが配設されるとともに、移動部４０ｂ、５０ｂに設けられている回動軸４０ｃ、５０ｃは扉１０の左側縁部に配設され、扉１０を開くと、扉１０の表側面が本体キャビネット１の開口１ａ側に向く態様で開くことにより、扉１０を開くと、扉１０の右側縁部は手前方向に移動し、左側縁部は右側方向に移動することで、扉１０の表側面が本体キャビネット１の開口１ａ側に向く態様で開くことにより、扉１０の開放角度が９０度以上開くことがなくなり、自動販売機に隣接して扉１０を開く際に障害となる、建造物の外壁面や内壁面などの障害物を避けながら扉を開くことができるようになるので、自動販売機設置上の制約を減少させることが可能となる。
【００５２】
そして、自動販売機の扉１０を開いて本体キャビネット１内への各種商品の補充や点検、清掃、整備などの作業を行いながらでも、扉１０の表側面に設置されたディスプレイ装置２１の表示部２２やタッチパネル、ディスプレイ室に備えられる商品選択ボタン、商品販売可表示装置を利用しての自動販売機の様々な設定や確認を行うことができる自動販売機を提供することが可能となる。
【００５３】
また、扉１０の表側面には、ディスプレイ装置２１の表示部２２やタッチパネルが備えられ、扉１０を開くと、扉１０の表側面が本体キャビネット１の開口１ａ側に向く態様で開くことにより、開口１ａ側からディスプレイ装置２１の表示部２２を視認可能とし、また、開口１ａ側からタッチパネルの操作を可能としたことにより、自動販売機の扉１０を開いて本体キャビネット１内への各種商品の補充時にコラム番号と、その商品の確認や、収容本数、前回の補充以降に販売された本数などの表示にしたがい商品の補充作業を容易にするとともに、扉１０を開けて作業を行っている間に商品を購入する動作が行われることを防止することが可能な自動販売機を提供することができる。
【００５４】
さらに、取り扱い方法、技術マニュアル、パーツリストなどを現物に照らし合わせながら作業が行え、画面と音声の中継により、遠方からネット回線などによる指導ができる、インターネット情報を検索できるなどの様々な活用ができるようになる。
【００５５】
そして、自動販売機の扉１０を開いて本体キャビネット１内への各種商品の補充や点検、清掃、整備などの作業を行いながらでも、扉１０の表側面に設置されたディスプレイ装置２１の表示部２２やタッチパネル、ディスプレイ室に備えられる商品選択ボタン、商品販売可表示装置を利用しての自動販売機の様々な設定や確認を行うことができる自動販売機を提供することが可能となる。
【００５６】
また、前面が開口する本体キャビネット１と、開口１ａを覆う態様で開閉自在な扉１０とを備えた自動販売機において、扉１０を開くと、扉１０の表側面が本体キャビネット１の開口１ａ側に向く態様で開くことにより、開口１ａ側から扉１０の表側面に備えられているディスプレイ装置２１の表示部２２を視認可能とし、また、開口１ａ側から扉１０の表側面に備えられているタッチパネルの操作を可能としたことにより、自動販売機の扉１０を開いて本体キャビネット１内への各種商品の補充時にコラム番号と、その商品の確認や、収容本数、前回の補充以降に販売された本数などの表示にしたがい商品の補充作業を容易にするとともに、扉１０を開けて作業を行っている間に商品を購入する動作が行われることを防止することが可能な自動販売機を提供することができる。
【００５７】
さらに、取り扱い方法、技術マニュアル、パーツリストなどを現物に照らし合わせながら作業が行え、画面と音声の中継により、遠方からネット回線などによる指導ができる、インターネット情報を検索できるなどの様々な活用ができるようになる。
【００５８】
そして、自動販売機の扉１０を開いて本体キャビネット１内への各種商品の補充や点検、清掃、整備などの作業を行いながらでも、扉１０の表側面に設置されたディスプレイ装置２１の表示部２２やタッチパネル、ディスプレイ室に備えられる商品選択ボタン、商品販売可表示装置を利用しての自動販売機の様々な設定や確認を行うことができる自動販売機を提供することが可能となる。
【産業上の利用可能性】
【００５９】
以上のように、本発明に係る自動販売機は、例えば缶入り飲料やペットボトル入り飲料などの商品を販売する自動販売機の前面が開口している本体キャビネットの前面開口を覆う態様で取り付けられる扉を開閉自在に支持するのに有用である。
【符号の説明】
【００６０】
１        本体キャビネット
１０      扉
１２      商品取出口
１４      紙幣挿入口
１５      硬貨投入口
１８      返却レバー
１９      硬貨返却口
２１      ディスプレイ装置
２２      表示部
３０      スライドレール
３０ａ    本体
３０ｂ    延伸部
３０ｃ    延伸部
３０ｄ    回動軸
４０      スライドレール
４０ａ    本体
４０ｂ    移動部
４０ｃ    回動軸
５０      スライドレール
５０ａ    本体
５０ｂ    移動部
５０ｃ    回動軸
【図１】
2017122966.tif 000003
【図２】
2017122966.tif 000004
【図３】
2017122966.tif 000005
【図４】
2017122966.tif 000006
【図５】
2017122966.tif 000007
【図６】
2017122966.tif 000008
【図７】
2017122966.tif 000009
【図８】
2017122966.tif 000010
【図９】
2017122966.tif 000011
【図１０】
2017122966.tif 000012
【図１１】
2017122966.tif 000013
【図１２】
2017122966.tif 000014
【図１３】
2017122966.tif 000015
【図１４】
2017122966.tif 000016
【図１５】
2017122966.tif 000017